【手続補正書】
【提出日】平成17年4月1日(2005.4.1)
【手続補正１】
【補正対象書類名】明細書
【補正対象項目名】特許請求の範囲
【補正方法】変更
【補正の内容】
【特許請求の範囲】
【請求項１】
画像データを符号化した符号化画像データが入力されると、画像処理用メモリをワークエリアとして使用して、入力された前記符号化画像データを復号化する画像デコーダと、少なくとも受信動作を制御する制御プログラムを記憶している書き換え可能なプログラム用メモリと、プログラム用メモリが記憶している制御プログラムを実行して送信された新しい制御プログラムを受信する制御を行なうＣＰＵとを備える受信装置が、前記プログラム用メモリに記憶された制御プログラムを、送信された新しい制御プログラムに書き換える方法であって、
前記画像デコーダに対して前記画像処理用メモリの使用を禁止する禁止ステップと、
前記ＣＰＵの制御により送信された新しい制御プログラムを受信する受信ステップと、
受信ステップで受信した新しい制御プログラムを、禁止ステップで前記画像デコーダに対して使用を禁止した画像処理用メモリに蓄積する蓄積ステップと、
蓄積ステップで新しい制御プログラムの全部を蓄積した後で、前記プログラム用メモリが記憶している制御プログラムを、蓄積ステップで前記画像処理用メモリに蓄積された新しい制御プログラムに書き換える書換ステップと、
書換ステップで制御プログラムを書き換えた後に、前記画像デコーダに対して前記画像処理用メモリの使用を許可する許可ステップと
を備えることを特徴とする制御プログラム書き換え方法。
【請求項２】
画像データを符号化した符号化画像データが入力されると、画像処理用メモリをワークエリアとして使用して、入力された前記符号化画像データを復号化する画像デコーダと、少なくとも受信動作を制御する制御プログラムを記憶している書き換え可能なプログラム用メモリと、プログラム用メモリが記憶している制御プログラムを実行して送信された新しい制御プログラムを受信する制御を行なうＣＰＵと、ＣＰＵがワークエリアとして使用するメインメモリとを備える受信装置が、前記プログラム用メモリに記憶された制御プログラムを、送信された新しい制御プログラムに書き換える方法であって、
前記画像デコーダに対して前記画像処理用メモリの使用を禁止する禁止ステップと、
前記ＣＰＵの制御により送信された新しい制御プログラムを受信する受信ステップと、
受信ステップで受信した新しい制御プログラムを、前記メインメモリ、禁止ステップで前記画像デコーダに対して使用を禁止した画像処理用メモリ、あるいは、前記メインメモリ及び禁止ステップで画像デコーダに対して使用を禁止した画像処理用メモリの両方に蓄積する蓄積ステップと、
蓄積ステップで新しい制御プログラムの全部を蓄積した後で、前記プログラム用メモリが記憶している制御プログラムを、蓄積ステップで蓄積された新しい制御プログラムに書き換える書換ステップと、
書換ステップで制御プログラムを書き換えた後に、前記画像デコーダに対して前記画像処理用メモリの使用を許可する許可ステップと
を備えることを特徴とする制御プログラム書き換え方法。
【請求項３】
画像データを符号化した符号化画像データが入力されると、画像処理用メモリをワークエリアとして使用して、入力された前記符号化画像データを復号化する画像デコーダと、
画像デコーダに対して画像処理用メモリの使用を禁止する禁止手段と、
禁止手段が画像処理用メモリの使用を禁止している間に、画像処理用メモリに任意のデータを書き込み、画像処理用メモリから任意のデータを読み出す制御手段と、
画像デコーダに対して画像処理用メモリの使用を許可する許可手段と
を備えることを特徴とする受信装置。
【請求項４】
現在使用している制御プログラムを、送信された新しい制御プログラムに書き換える受信装置であって、
画像データを符号化した符号化画像データが入力されると、画像処理用メモリをワークエリアとして使用して、入力された前記符号化画像データを復号化する画像デコーダと、
少なくとも受信動作を制御する制御プログラムを記憶している書き換え可能なプログラム用メモリと、
プログラム用メモリが記憶している制御プログラムを実行して送信された新しい制御プログラムを受信する制御を行なうＣＰＵと、
現在使用している制御プログラムを書き換える指示を、利用者又は他の装置から受け付ける受付手段と、
受付手段が制御プログラムを書き換える指示を受け付けると、画像デコーダに対して前記画像処理用メモリの使用を禁止する禁止手段と、
ＣＰＵの制御により送信された新しい制御プログラムを受信する受信手段と、
受信手段が受信した新しい制御プログラムを、禁止手段が画像デコーダに対して使用を禁止した画像処理用メモリに蓄積する蓄積手段と、
蓄積手段が新しい制御プログラムの全部を蓄積した後で、プログラム用メモリが記憶している制御プログラムを、蓄積手段で画像処理用メモリに蓄積された新しい制御プログラムに書き換える書換手段と、
書換手段が制御プログラムを書き換えた後に、画像デコーダに対して画像処理用メモリの使用を許可する許可手段と
を備えることを特徴とする受信装置。
【請求項５】
現在使用している制御プログラムを、送信された新しい制御プログラムに書き換える受信装置であって、
画像データを符号化した符号化画像データが入力されると、画像処理用メモリをワークエリアとして使用して、入力された前記符号化画像データを復号化する画像デコーダと、
少なくとも受信動作を制御する制御プログラムを記憶している書き換え可能なプログラム用メモリと、
プログラム用メモリが記憶している制御プログラムを実行して送信された新しい制御プログラムを受信する制御を行なうＣＰＵと、
ＣＰＵがワークエリアとして使用するメインメモリと、
現在使用している制御プログラムを書き換える指示を、利用者又は他の装置から受け付ける受付手段と、
受付手段が制御プログラムを書き換える指示を受け付けると、画像デコーダに対して前記画像処理用メモリの使用を禁止する禁止手段と、
ＣＰＵの制御により送信された新しい制御プログラムを受信する受信手段と、
受信手段が受信した新しい制御プログラムを、メインメモリ、禁止手段が画像デコーダに対して使用を禁止した画像処理用メモリ、あるいは、メインメモリ及び禁止手段で画像デコーダに対して使用を禁止した画像処理用メモリの両方に蓄積する蓄積手段と、
蓄積手段が新しい制御プログラムの全部を蓄積した後で、プログラム用メモリが記憶している制御プログラムを、蓄積手段で蓄積された新しい制御プログラムに書き換える書換手段と、
書換手段が制御プログラムを書き換えた後に、画像デコーダに対して画像処理用メモリの使用を許可する許可手段と
を備えることを特徴とする受信装置。
【請求項６】
前記受信手段は、所定のデータ量に分割された制御プログラムの一部を順に受信することにより、新しい制御プログラムの全部を受信し、
前記蓄積手段は、
前記メインメモリに前記所定のデータ量の空き領域が有るか無いかを、無いと判断するまで、受信手段が新しい制御プログラムの一部を受信する度に判断する判断手段と、
判断手段で有ると判断する度に、受信手段が受信した新しい制御プログラムの一部を前記メインメモリに蓄積する第１蓄積手段と、
判断手段で無いと判断した後は、受信手段で新しい制御プログラムの一部を受信する度に、その新しい制御プログラムの一部を、前記禁止手段で前記画像デコーダに対して使用を禁止した画像処理用メモリに蓄積する第２蓄積手段とを含むこと
を特徴とする請求項５に記載の受信装置。
【請求項７】
前記受信手段は、所定のデータ量に分割された制御プログラムの一部を順に受信することにより、新しい制御プログラムの全部を受信し、
前記蓄積手段は、
前記禁止手段が前記画像デコーダに対して使用を禁止した画像処理用メモリに前記所定のデータ量の空き領域が有るか無いかを、無いと判断するまで、受信手段が新しい制御プログラムの一部を受信する度に判断する判断手段と、
判断手段が有ると判断する度に、受信手段が受信した新しい制御プログラムの一部を前記禁止手段が前記画像デコーダに対して使用を禁止した画像処理用メモリに蓄積する第１蓄積手段と、
判断手段で無いと判断した後は、受信手段で新しい制御プログラムの一部を受信する度に、その新しい制御プログラムの一部を、前記メインメモリに蓄積する第２蓄積手段とを含むこと
を特徴とする請求項５に記載の受信装置。
【請求項８】
前記受信手段は、さらに、
受信すべき新しい制御プログラムのデータ量を示すデータ量情報を受信し、
前記蓄積手段は、
受信手段が受信したデータ量情報が示すデータ量の記憶領域が、前記メインメモリに有るか無いかを判断する判断手段と、
判断手段で有ると判断した場合に、前記受信手段が受信した新しい制御プログラムを、前記メインメモリに蓄積する第１蓄積手段と、
判断手段が無いと判断した場合に、前記受信手段が受信した新しい制御プログラムを、前記メインメモリと前記禁止手段が前記画像デコーダに対して使用を禁止した画像処理用メモリとに蓄積する第２蓄積手段とを含むこと
を特徴とする請求項５に記載の受信装置。
【請求項９】
前記受信手段は、さらに、
受信すべき新しい制御プログラムのデータ量を示すデータ量情報を受信し、
前記蓄積手段は、
受信手段が受信したデータ量情報が示すデータ量の記憶領域が、禁止手段が前記画像デコーダに対して使用を禁止した画像処理用メモリに有るか無いかを判断する判断手段と、
判断手段で有ると判断した場合に、前記受信手段が受信した新しい制御プログラムを、前記禁止手段が前記画像デコーダに対して使用を禁止した画像処理用メモリに蓄積する第１蓄積手段と、
判断手段が無いと判断した場合に、前記受信手段が受信した新しい制御プログラムを、前記禁止手段が前記画像デコーダに対して使用を禁止した画像処理用メモリと前記メインメモリとに蓄積する第２蓄積手段とを含むこと
を特徴とする請求項５に記載の受信装置。
【請求項１０】
前記禁止手段は、前記画像デコーダに対して、前記符号化画像データの入力を禁止することによって前記画像処理用メモリの使用を禁止し、
前記許可手段は、前記画像デコーダに対して、前記符号化画像データの入力を許可することによって前記画像処理用メモリの使用を許可すること
を特徴とする請求項３〜９の何れかに記載の受信装置。
【請求項１１】
現在使用している制御プログラムを、送信された新しい制御プログラムに書き換える受信装置であって、
現在使用している制御プログラムを記憶する書き換え可能なプログラム用メモリと、
プログラム用メモリが記憶している制御プログラムを実行するＣＰＵが、ワークエリアとして使用するメインメモリと、
画像データを符号化した符号化画像データを復号化する画像デコーダのワークエリアとして使用される画像処理用メモリとを備え、
プログラム用メモリの記憶容量が、書き換えられるべき前記新しい制御プログラムのデータ量と現在使用している制御プログラムのデータ量との合計よりも少なく、
メインメモリの記憶容量が、書き換えられるべき前記新しい制御プログラムのデータ量よりも少なく、
画像処理用メモリの記憶容量が、書き換えられるべき前記新しい制御プログラムのデータ量以上であること
を特徴とする受信装置。
【請求項１２】
現在使用している制御プログラムを、送信された新しい制御プログラムに書き換える受信装置であって、
現在使用している制御プログラムを記憶する書き換え可能なプログラム用メモリと、
プログラム用メモリが記憶している制御プログラムを実行するＣＰＵが、ワークエリアとして使用するメインメモリと、
画像データを符号化した符号化画像データを復号化する画像デコーダのワークエリアとして使用される画像処理用メモリとを備え、
メインメモリの記憶容量が、書き換えられるべき前記新しい制御プログラムのデータ量よりも少なく、
プログラム用メモリの記憶容量とメインメモリの記憶容量との合計が、前記現在使用している制御プログラムのデータ量と書き換えられるべき前記新しい制御プログラムのデータ量との合計よりも不足分Ｘだけ少なく、
画像処理用メモリの記憶容量が、不足分Ｘ以上であること
を特徴とする受信装置。
【請求項１３】
画像データを符号化した符号化画像データが入力されると、画像処理用メモリをワークエリアとして使用して、入力された前記符号化画像データを復号化する画像デコーダと、少なくとも受信動作を制御する制御プログラムを記憶している書き換え可能なプログラム用メモリと、プログラム用メモリが記憶している制御プログラムを実行して送信された新しい制御プログラムを受信する制御を行なうＣＰＵとを備える受信装置が、前記プログラム用メモリに記憶された制御プログラムを、送信された新しい制御プログラムに書き換えるための、制御プログラム書き換えプログラムを記録したコンピュータ読み取り可能な記録媒体であって、
前記ＣＰＵに、
前記画像デコーダに対して前記画像処理用メモリの使用を禁止する禁止ステップと、
送信された新しい制御プログラムを受信する受信ステップと、
受信ステップで受信した新しい制御プログラムを、禁止ステップで前記画像デコーダに対して使用を禁止した画像処理用メモリに蓄積する蓄積ステップと、
蓄積ステップで新しい制御プログラムの全部を蓄積した後で、前記プログラム用メモリが記憶している制御プログラムを、蓄積ステップで前記画像処理用メモリに蓄積された新しい制御プログラムに書き換える書換ステップと、
書換ステップで制御プログラムを書き換えた後に、前記画像デコーダに対して前記画像処理用メモリの使用を許可する許可ステップと
を制御させるための制御プログラム書き換えプログラムを記録したコンピュータ読み取り可能な記録媒体。
【請求項１４】
画像データを符号化した符号化画像データが入力されると、画像処理用メモリをワークエリアとして使用して、入力された前記符号化画像データを復号化する画像デコーダと、少なくとも受信動作を制御する制御プログラムを記憶している書き換え可能なプログラム用メモリと、プログラム用メモリが記憶している制御プログラムを実行して送信された新しい制御プログラムを受信する制御を行なうＣＰＵと、ＣＰＵがワークエリアとして使用するメインメモリとを備える受信装置が、前記プログラム用メモリに記憶された制御プログラムを、送信された新しい制御プログラムに書き換えるための、制御プログラム書き換えプログラムを記録したコンピュータ読み取り可能な記録媒体であって、
前記ＣＰＵに、
前記画像デコーダに対して前記画像処理用メモリの使用を禁止する禁止ステップと、
送信された新しい制御プログラムを受信する受信ステップと、
受信ステップで受信した新しい制御プログラムを、前記メインメモリ、禁止ステップで前記画像デコーダに対して使用を禁止した画像処理用メモリ、あるいは、前記メインメモリ及び禁止ステップで画像デコーダに対して使用を禁止した画像処理用メモリの両方に蓄積する蓄積ステップと、
蓄積ステップで新しい制御プログラムの全部を蓄積した後で、前記プログラム用メモリが記憶している制御プログラムを、蓄積ステップで蓄積された新しい制御プログラムに書き換える書換ステップと、
書換ステップで制御プログラムを書き換えた後に、前記画像デコーダに対して前記画像処理用メモリの使用を許可する許可ステップと
を制御させるための制御プログラム書き換えプログラムを記録したコンピュータ読み取り可能な記録媒体。